(57)【要約】【課題】アナログ放送とデジタル放送との排他的な切換制御を確実にかつ簡潔に行い、その結果、小型・軽量化を実現することができるチューナユニットを提供する。【解決手段】本発明に係るチューナユニットは、アナログ放送とデジタル放送とを切換えて出力するチューナ部と、受信要求に基づいて、アナログ許可状態とデジタル許可状態とを設定する調停部と、アナログ放送の受信を要求されたときに許可状態をモニタし、許可状態がアナログ許可状態を示している場合、チューナ部に対してアナログ放送の出力を指示するアナログ制御部と、デジタル放送の受信を要求されたときに許可状態をモニタし、許可状態がデジタル許可状態を示している場合、チューナ部に対してデジタル放送の出力を指示するアナログ制御部と、調停部は、アナログ許可状態とデジタル許可状態を排他的に設定する、ことを特徴とする。【選択図】  図３
2007174572.tif 000002
【特許請求の範囲】
【請求項１】
アナログ放送の復調信号とデジタル放送の復調信号とを切換えて出力するチューナ部と、
外部からの前記アナログ放送又は前記デジタル放送の受信要求に基づいて、前記アナログ放送の受信を許可するか否かを示すアナログ許可状態又はアナログ非許可状態と、前記デジタル放送の受信を許可するか否かを示すデジタル許可状態又はデジタル非許状態とを、前記チューナ部に対する切換え制御の許可状態として設定する調停部と、
外部から前記アナログ放送の受信を要求されたときに前記許可状態をモニタし、前記許可状態がアナログ許可状態を示している場合、前記チューナ部に対して、前記アナログ放送の復調信号を出力させる第１の切換制御信号を出力すると共に、前記アナログ信号の復調信号を所定のデータフォーマットに変換して外部に出力するアナログ制御部と、
外部から前記デジタル放送の受信を要求されたときに前記許可状態をモニタし、前記許可状態がデジタル許可状態を示している場合、前記チューナ部に対して、前記デジタル放送の復調信号を出力させる第２の切換制御信号を出力すると共に、前記デジタル信号の復調信号を所定のデータフォーマットに変換して外部に出力するデジタル制御部と、
を備え、
前記調停部は、
前記許可状態が前記アナログ許可状態でかつ前記デジタル許可状態のときに、アナログ放送の受信を要求された場合は、前記許可状態をアナログ許可状態に設定し、
前記許可状態が前記アナログ許可状態でかつ前記デジタル許可状態のときに、デジタル放送の受信を要求された場合は、前記許可状態をデジタル許可状態に設定し、
前記許可状態が前記アナログ許可状態でかつデジタル非許可状態のときに、デジタル放送の受信を要求された場合は、アナログ放送の受信の要求が解除されている場合にかぎり前記許可状態をデジタル許可状態に設定し、
前記許可状態が前記デジタル許可状態でかつアナログ非許可状態のときに、アナログ放送の受信を要求された場合は、デジタル放送の受信の要求が解除されている場合にかぎり前記許可状態をアナログ許可状態に設定する、
ことを特徴とするチューナユニット。
【請求項２】
前記調停部は、２つの論理ゲートで構成されることを特徴とする請求項１に記載のチューナユニット。
【請求項３】
前記調停部が有する機能は、コンピュータによって実現されることを特徴とする請求項１に記載のチューナユニット。
【請求項４】
前記第１の切換制御信号および前記第２の切換制御信号は、前記許可状態に基づいてオン・オフされるスイッチを介して前記チューナ部に出力されることを特徴とする請求項１に記載のチューナユニット。
【請求項５】
アナログ放送とデジタル放送とを受信できるチューナユニットと、
各種情報処理を行うと共に、前記チューナユニットの制御を行う情報処理装置本体と、
を具備し、
前記チューナユニットは、
前記アナログ放送の復調信号と前記デジタル放送の復調信号とを切換えて出力するチューナ部と、
前記情報処理装置本体からの前記アナログ放送又は前記デジタル放送の受信要求に基づいて、前記アナログ放送の受信を許可するか否かを示すアナログ許可状態又はアナログ非許可状態と、前記デジタル放送の受信を許可するか否かを示すデジタル許可状態又はデジタル非許状態とを、前記チューナ部に対する切換え制御の許可状態として設定する調停部と、
前記情報処理装置本体から前記アナログ放送の受信を要求されたときに前記許可状態をモニタし、前記許可状態がアナログ許可状態を示している場合、前記チューナ部に対して、前記アナログ放送の復調信号を出力させる第１の切換制御信号を出力すると共に、前記アナログ信号の復調信号を所定のデータフォーマットに変換して前記情報処理装置本体に出力するアナログ制御部と、
前記情報処理装置本体から前記デジタル放送の受信を要求されたときに前記許可状態をモニタし、前記許可状態がデジタル許可状態を示している場合、前記チューナ部に対して、前記デジタル放送の復調信号を出力させる第２の切換制御信号を出力すると共に、前記デジタル信号の復調信号を所定のデータフォーマットに変換して前記情報処理装置本体に出力するデジタル制御部と、
を備え、
前記調停部は、
前記許可状態が前記アナログ許可状態でかつ前記デジタル許可状態のときに、アナログ放送の受信を要求された場合は、前記許可状態をアナログ許可状態に設定し、
前記許可状態が前記アナログ許可状態でかつ前記デジタル許可状態のときに、デジタル放送の受信を要求された場合は、前記許可状態をデジタル許可状態に設定し、
前記許可状態が前記アナログ許可状態でかつデジタル非許可状態のときに、デジタル放送の受信を要求された場合は、アナログ放送の受信の要求が解除されている場合にかぎり前記許可状態をデジタル許可状態に設定し、
前記許可状態が前記デジタル許可状態でかつアナログ非許可状態のときに、アナログ放送の受信を要求された場合は、デジタル放送の受信の要求が解除されている場合にかぎり前記許可状態をアナログ許可状態に設定する、
ことを特徴とする情報処理装置。
【請求項６】
前記調停部は、２つの論理ゲートで構成されることを特徴とする請求項５に記載の情報処理装置。
【請求項７】
前記調停部が有する機能は、コンピュータによって実現されることを特徴とする請求項５に記載の情報処理装置。
【請求項８】
前記第１の切換制御信号および前記第２の切換制御信号は、前記許可状態に基づいてオン・オフされるスイッチを介して前記チューナ部に出力されることを特徴とする請求項５に記載の情報処理装置。
【請求項９】
アナログ放送の復調信号とデジタル放送の復調信号とを切換えて出力するチューナ部を具備するチューナユニットのチューナ受信方法において、
外部からの前記アナログ放送又は前記デジタル放送の受信要求に基づいて、前記アナログ放送の受信を許可するか否かを示すアナログ許可状態又はアナログ非許可状態と、前記デジタル放送の受信を許可するか否かを示すデジタル許可状態又はデジタル非許状態とを、前記チューナ部に対する切換え制御の許可状態として設定する調停ステップと、
外部から前記アナログ放送の受信を要求されたときに前記許可状態をモニタし、前記許可状態がアナログ許可状態を示している場合、前記チューナ部に対して、前記アナログ放送の復調信号を出力させる第１の切換制御信号を出力すると共に、前記アナログ信号の復調信号を所定のデータフォーマットに変換して外部に出力するアナログ制御ステップと、
外部から前記デジタル放送の受信を要求されたときに前記許可状態をモニタし、前記許可状態がデジタル許可状態を示している場合、前記チューナ部に対して、前記デジタル放送の復調信号を出力させる第２の切換制御信号を出力すると共に、前記デジタル信号の復調信号を所定のデータフォーマットに変換して外部に出力するデジタル制御ステップと、
を備え、
前記調停ステップは、
前記許可状態が前記アナログ許可状態でかつ前記デジタル許可状態のときに、アナログ放送の受信を要求された場合は、前記許可状態をアナログ許可状態に設定し、
前記許可状態が前記アナログ許可状態でかつ前記デジタル許可状態のときに、デジタル放送の受信を要求された場合は、前記許可状態をデジタル許可状態に設定し、
前記許可状態が前記アナログ許可状態でかつデジタル非許可状態のときに、デジタル放送の受信を要求された場合は、アナログ放送の受信の要求が解除されている場合にかぎり前記許可状態をデジタル許可状態に設定し、
前記許可状態が前記デジタル許可状態でかつアナログ非許可状態のときに、アナログ放送の受信を要求された場合は、デジタル放送の受信の要求が解除されている場合にかぎり前記許可状態をアナログ許可状態に設定する、
ことを特徴とするチューナ受信方法。
【発明の詳細な説明】
【技術分野】
【０００１】
本発明は、チューナユニット、チューナを内蔵する情報処理装置、及びチューナ受信方法に係り、特に、アナログ放送とデジタル放送の双方を受信可能なチューナユニット、チューナを内蔵する情報処理装置、及びチューナ受信方法に関する。
【背景技術】
【０００２】
近年、従来からのアナログ地上波放送に加えて、デジタル地上波放送が開始された。将来的には多機能、高画質のデジタル地上波放送への換装が計画されているものの、当面の間はアナログとデジタルの２方式による地上波放送が並存することになる。
【０００３】
他方、パーソナルコンピュータ等の情報処理装置では、本来備えている情報処理機能に加えて、ＴＶ放送を受信し視聴するためのＴＶチューナユニットを備えた機能のものが普及している。情報処理装置に内蔵するＴＶチューナユニットはアナログ放送対応のものが主流であったが、近時アナログとデジタルの双方の放送を受信可能な形態も出現してきている。
【０００４】
情報処理装置に内蔵するＴＶチューナユニットに対しては、小型軽量化が重要な課題である。特に、ノートブック型パーソナルコンピュータ等のような携帯型の情報処理装置においては小型軽量化への要求は高い。
【０００５】
ＴＶチューナユニットの小型軽量化への要求に応える技術として、アナログ放送用とデジタル放送用のチューナ部（ＲＦ／ＩＦ部）を共通化する技術がある。
【０００６】
例えば、特許文献１は、主に移動用ＴＶ受信装置に関する技術ではあるが、アナログ放送用とデジタル放送用とでチューナ部を共有する技術について開示している。
【特許文献１】特開２００５−２０４０５９号公報
【発明の開示】
【発明が解決しようとする課題】
【０００７】
上述したように、アナログ放送用とデジタル放送用とでチューナ部を共有することは、ＴＶチューナユニットの小型軽量化に大きく貢献し、ひいては情報処理装置全体の小型軽量化にも有効である。
【０００８】
チューナ部の共有化を実現するためには、アナログ放送とデジタル放送でチューナ部の機能を切換えるための切換制御機能が必要となる。また、アナログ放送の復調機能（アナログキャプチャデバイス）とデジタル放送の復調機能（デジタルキャプチャデバイス）とを切換える必要もある。
【０００９】
ところで、一般に、パーソナルコンピュータ等の情報処理装置では、内蔵する各種デバイスに対する制御は、ソフトウェア（ドライバ）を介して行われることが多い。情報処理装置に内蔵されるＴＶチューナユニットの場合も同様であり、一般に、ドライバを介した制御となる。
【００１０】
アナログキャプチャデバイスとデジタルキャプチャデバイスとを有する形態では、夫々が別個のドライバで制御されることになり、適切な切換制御を行うためにはドライバ間の情報交換が必要となる。
【００１１】
ところが、現在普及しているＯＳでは、ドライバ間の情報交換のための通信は応答が非常に遅く、このためドライバを用いた切換制御では動作が不安定になる可能性がある。例えば、本来排他的であるべきアナログキャプチャデバイスとデジタルキャプチャデバイスの機能（一方がオンのとき、他方は必ずオフとなっているべき機能）が、一時的に両者が共にオンとなる状況が発生しかねない。
【００１２】
このため、上記の排他的な切換制御を、ドライバに依存する形態以外で実現する手段が要望されるが、現時点では存在していない。
【００１３】
本発明は、上記事情に鑑みてなされたもので、アナログ放送とデジタル放送との排他的な切換制御を確実にかつ簡潔に行い、その結果、小型・軽量化を実現することができるチューナユニット、チューナを内蔵する情報処理装置、及びチューナ受信方法を提供することを目的とする。
【課題を解決するための手段】
【００１４】
上記課題を解決するため、本発明に係るチューナユニットは、請求項１に記載したように、アナログ放送の復調信号とデジタル放送の復調信号とを切換えて出力するチューナ部と、外部からの前記アナログ放送又は前記デジタル放送の受信要求に基づいて、前記アナログ放送の受信を許可するか否かを示すアナログ許可状態又はアナログ非許可状態と、前記デジタル放送の受信を許可するか否かを示すデジタル許可状態又はデジタル非許状態とを、前記チューナ部に対する切換え制御の許可状態として設定する調停部と、外部から前記アナログ放送の受信を要求されたときに前記許可状態をモニタし、前記許可状態がアナログ許可状態を示している場合、前記チューナ部に対して、前記アナログ放送の復調信号を出力させる第１の切換制御信号を出力すると共に、前記アナログ信号の復調信号を所定のデータフォーマットに変換して外部に出力するアナログ制御部と、外部から前記デジタル放送の受信を要求されたときに前記許可状態をモニタし、前記許可状態がデジタル許可状態を示している場合、前記チューナ部に対して、前記デジタル放送の復調信号を出力させる第２の切換制御信号を出力すると共に、前記デジタル信号の復調信号を所定のデータフォーマットに変換して外部に出力するデジタル制御部と、を備え、前記調停部は、前記許可状態が前記アナログ許可状態でかつ前記デジタル許可状態のときに、アナログ放送の受信を要求された場合は、前記許可状態をアナログ許可状態に設定し、前記許可状態が前記アナログ許可状態でかつ前記デジタル許可状態のときに、デジタル放送の受信を要求された場合は、前記許可状態をデジタル許可状態に設定し、前記許可状態が前記アナログ許可状態でかつデジタル非許可状態のときに、デジタル放送の受信を要求された場合は、アナログ放送の受信の要求が解除されている場合にかぎり前記許可状態をデジタル許可状態に設定し、前記許可状態が前記デジタル許可状態でかつアナログ非許可状態のときに、アナログ放送の受信を要求された場合は、デジタル放送の受信の要求が解除されている場合にかぎり前記許可状態をアナログ許可状態に設定する、ことを特徴とする。
【００１５】
また、上記課題を解決するため、本発明に係る情チューナを内蔵する情報処理装置は、請求項５に記載したように、アナログ放送とデジタル放送とを受信できるチューナユニットと、各種情報処理を行うと共に、前記チューナユニットの制御を行う情報処理装置本体と、を具備し、前記チューナユニットは、前記アナログ放送の復調信号と前記デジタル放送の復調信号とを切換えて出力するチューナ部と、前記情報処理装置本体からの前記アナログ放送又は前記デジタル放送の受信要求に基づいて、前記アナログ放送の受信を許可するか否かを示すアナログ許可状態又はアナログ非許可状態と、前記デジタル放送の受信を許可するか否かを示すデジタル許可状態又はデジタル非許状態とを、前記チューナ部に対する切換え制御の許可状態として設定する調停部と、前記情報処理装置本体から前記アナログ放送の受信を要求されたときに前記許可状態をモニタし、前記許可状態がアナログ許可状態を示している場合、前記チューナ部に対して、前記アナログ放送の復調信号を出力させる第１の切換制御信号を出力すると共に、前記アナログ信号の復調信号を所定のデータフォーマットに変換して前記情報処理装置本体に出力するアナログ制御部と、前記情報処理装置本体から前記デジタル放送の受信を要求されたときに前記許可状態をモニタし、前記許可状態がデジタル許可状態を示している場合、前記チューナ部に対して、前記デジタル放送の復調信号を出力させる第２の切換制御信号を出力すると共に、前記デジタル信号の復調信号を所定のデータフォーマットに変換して前記情報処理装置本体に出力するデジタル制御部と、を備え、前記調停部は、前記許可状態が前記アナログ許可状態でかつ前記デジタル許可状態のときに、アナログ放送の受信を要求された場合は、前記許可状態をアナログ許可状態に設定し、前記許可状態が前記アナログ許可状態でかつ前記デジタル許可状態のときに、デジタル放送の受信を要求された場合は、前記許可状態をデジタル許可状態に設定し、前記許可状態が前記アナログ許可状態でかつデジタル非許可状態のときに、デジタル放送の受信を要求された場合は、アナログ放送の受信の要求が解除されている場合にかぎり前記許可状態をデジタル許可状態に設定し、前記許可状態が前記デジタル許可状態でかつアナログ非許可状態のときに、アナログ放送の受信を要求された場合は、デジタル放送の受信の要求が解除されている場合にかぎり前記許可状態をアナログ許可状態に設定する、ことを特徴とする。
【００１６】
また、上記課題を解決するため、本発明に係るチューナ受信方法は、請求項９に記載したように、アナログ放送の復調信号とデジタル放送の復調信号とを切換えて出力するチューナ部を具備するチューナユニットのチューナ受信方法において、外部からの前記アナログ放送又は前記デジタル放送の受信要求に基づいて、前記アナログ放送の受信を許可するか否かを示すアナログ許可状態又はアナログ非許可状態と、前記デジタル放送の受信を許可するか否かを示すデジタル許可状態又はデジタル非許状態とを、前記チューナ部に対する切換え制御の許可状態として設定する調停ステップと、外部から前記アナログ放送の受信を要求されたときに前記許可状態をモニタし、前記許可状態がアナログ許可状態を示している場合、前記チューナ部に対して、前記アナログ放送の復調信号を出力させる第１の切換制御信号を出力すると共に、前記アナログ信号の復調信号を所定のデータフォーマットに変換して外部に出力するアナログ制御ステップと、外部から前記デジタル放送の受信を要求されたときに前記許可状態をモニタし、前記許可状態がデジタル許可状態を示している場合、前記チューナ部に対して、前記デジタル放送の復調信号を出力させる第２の切換制御信号を出力すると共に、前記デジタル信号の復調信号を所定のデータフォーマットに変換して外部に出力するデジタル制御ステップと、を備え、前記調停ステップは、前記許可状態が前記アナログ許可状態でかつ前記デジタル許可状態のときに、アナログ放送の受信を要求された場合は、前記許可状態をアナログ許可状態に設定し、前記許可状態が前記アナログ許可状態でかつ前記デジタル許可状態のときに、デジタル放送の受信を要求された場合は、前記許可状態をデジタル許可状態に設定し、前記許可状態が前記アナログ許可状態でかつデジタル非許可状態のときに、デジタル放送の受信を要求された場合は、アナログ放送の受信の要求が解除されている場合にかぎり前記許可状態をデジタル許可状態に設定し、前記許可状態が前記デジタル許可状態でかつアナログ非許可状態のときに、アナログ放送の受信を要求された場合は、デジタル放送の受信の要求が解除されている場合にかぎり前記許可状態をアナログ許可状態に設定する、ことを特徴とする。
【発明の効果】
【００１７】
本発明に係るチューナユニット、チューナを内蔵する情報処理装置、及びチューナ受信方法によれば、アナログ放送とデジタル放送との排他的な切換制御を確実にかつ簡潔に行い、その結果、小型・軽量化を実現することができる。
【発明を実施するための最良の形態】
【００１８】
本発明に係るチューナユニット、チューナを内蔵する情報処理装置、及びチューナ受信方法の実施形態について、添付図面を参照して説明する。
【００１９】
（１）情報処理装置の構成
図１は、本発明の一実施形態である情報処理装置１の代表例として、ノートブック型パーソナルコンピュータの外観を示す図である。
【００２０】
情報処理装置１は、薄型の長方形状をなす情報処理装置本体２とパネル部３とを備えて構成されている。情報処理装置本体２とパネル部３とはヒンジ部を介して開閉自在に構成されている。
【００２１】
情報処理装置本体２は、その筐体の上面に各種データを入力する他、情報処理装置１の各種操作を行うキーボード５等を備えている。また、情報処理装置本体２は、ＣＰＵ１０、チップセット、主メモリ１３等の電子部品（図２参照）が実装されたシステム基板や、ＴＶ放送を受信するためのＴＶチューナユニット（チューナユニット）１０等を内蔵している。
【００２２】
パネル部３は、その内側の開口部に、各種情報を表示する表示器４を備えている。表示器４は、例えば液晶表示器等で構成されるものである。表示器４には、情報処理装置本体２で処理される各種情報や、ＴＶチューナユニット１０で受信されるＴＶ放送の映像が表示される。また、スピーカ６は、ＴＶチューナユニット１０で受信されるＴＶ放送の音声等を出力する。
【００２３】
図２は、情報処理装置１のシステム構成の一例を示すブロック図である。情報処理装置１は、システム全体の制御を行うＣＰＵ２０を備えており、ＣＰＵ１０はチップセット（ホストハブ２１、およびＩ／Ｏハブ２４）を介して各種の内部構成品とデータの授受を行っている。
【００２４】
情報処理装置１が備える内部構成品としては、プログラムやデータを一時的に記憶しＣＰＵ１０のワークエリアとして機能する主メモリ２２、ＢＩＯＳを記憶するＢＩＯＳＲＯＭ２８、表示器（ＬＣＤ）４に表示する各種の画像データを処理するグラフィックコントローラ２３、音声信号処理を行いスピーカ６へ音声信号を出力するサウンドコントローラ２５、記憶装置としてのＨＤＤ２６、ＤＶＤドライブ２７等がある。
【００２５】
また、ユーザインターフェースとして、キーボード５やポインティングデバイス３０等を備えており、これらはコントローラ（ＥＣ／ＫＢＣ）２９を介してＩ／Ｏハブ２４に接続されている。
【００２６】
さらに、情報処理装置１は、内部構成品としてＴＶチューナユニット１０を備えており、ＴＶチューナユニット１０は、例えば、ＰＣＩバスを介してＩ／Ｏハブ２４に接続されている。ＴＶチューナユニット１０には、アンテナ端子（図示せず）からＶＨＦ／ＵＨＦ帯のＴＶ放送信号が入力される。ＴＶチューナユニット１０で復調された信号は、Ｉ／Ｏハブ２４、ホストハブ２１を介して、グラフィックコントローラ２３、サウンドコントローラ２５に伝送され、映像信号及び音声信号として表示器４やスピーカ６から出力される。図２では、チューナユニット１０とＩ／Ｏハブ２４とはＰＣＩバスを介した接続としているが、ＰＣＩバスに限定するものではなく、例えば、ＵＳＢやＩＥＥＥ１３９４等のバスを用いて接続する形態であっても良い。
【００２７】
なお、図２は、情報処理装置１のシステム構成の一例を示したものであり、この構成に限定されるものではない。
【００２８】
（２）ＴＶチューナユニットの構成
図３は、本発明の実施形態に係るＴＶチューナユニット（チューナユニット）１０の構成例を示す図である。
【００２９】
ＴＶチューナユニット１０は、チューナ部２０、アナログキャプチャデバイス（アナログ制御部）３０、デジタルキャプチャデバイス（デジタル制御部）４０、および調停部６０を備えて構成されている。
【００３０】
チューナ部２０は、その内部に、ＲＦフロントエンド２１、アナログ復調器２２、およびデジタル復調器２３を備えている。
【００３１】
ＲＦフロントエンド２１は、アンテナ等（図示せず）を介して受信するＲＦＴＶ信号（例えばＶＨＦ帯やＵＨＦ帯の信号）を中間周波信号に変換している。
【００３２】
アナログ復調器２２は、この中間周波信号に含まれるアナログＴＶ放送信号から映像信号および音声信号を復調し、アナログキャプチャデバイス３０に出力している。
【００３３】
他方、デジタル復調器２３は、中間周波信号に含まれるデジタル放送信号を復調し、ＴＳ（トランスポートストリーム）信号を抽出している。抽出したＴＳ信号はデジタルキャプチャデバイス４０に出力される。
【００３４】
チューナ部２０では、ＲＦフロントエンド２１を共有する形態としており、これによってチューナ部２０の小型化を実現している。
【００３５】
アナログＴＶ放送とデジタルＴＶ放送とではＲＦフロントエンド２１の機能、例えば周波数選択機能等、は異なってくるため、ＲＦフロントエンド２１に対してはアナログＴＶ放送とデジタルＴＶ放送との切換制御が必要となる。この切換制御は、例えば図示したＩ２Ｃバスを介した制御信号によって行われる。
【００３６】
アナログキャプチャデバイス３０は、アナログＴＶ放送に関する制御を行うと共に、アナログ復調器２２から出力される映像信号および音声信号を所定のフォーマットのデジタルデータ、例えばＭＰＥＧ−２等、に変換した後、ＰＣＩバス等の情報処理装置１の内部バス信号として出力している。
【００３７】
アナログＴＶ放送に関する制御信号は、バススイッチ３１を介したＩ２Ｃバス信号としてチューナ部２０に出力している。
【００３８】
一方、デジタルキャプチャデバイス４０は、デジタルＴＶ放送に関する制御を行うと共に、デジタル復調器２３から出力されるＴＳ信号を所定のフォーマットのデジタルデータに変換した後、ＰＣＩバス等の情報処理装置１の内部バス信号として出力している。
【００３９】
デジタルＴＶ放送に関する制御信号は、バススイッチ４１を介したＩ２Ｃバス信号としてチューナ部２０に出力している。
【００４０】
調停部６０は、アナログ放送の受信を許可するアナログ許可状態信号（ＧＮＴ  Ａ）をアナログキャプチャデバイス３０に対して出力し、デジタル放送の受信を許可するデジタル許可状態信号（ＧＮＴ  Ｄ）をデジタルキャプチャデバイス４０に対して出力している。
【００４１】
一方、アナログキャプチャデバイス３０は、アナログＴＶ放送用アプリケーションソフトウェア（外部）からアナログ放送受信要求を受けたことを示す、アナログ放送受信要求信号（ＲＥＱ  Ａ）を調停部６０に出力している。
【００４２】
同様に、デジタルキャプチャデバイス４０は、デジタルＴＶ放送用アプリケーションソフトウェア（外部）からデジタル放送受信要求を受けたことを示す、デジタル放送受信要求信号（ＲＥＱ  Ｄ）を調停部６０に出力している。
【００４３】
また、アナログキャプチャデバイス３０には、デジタル許可状態信号（ＧＮＴ  Ｄ）およびデジタル放送受信要求信号（ＲＥＱ  Ｄ）がモニタできるようにこれらの信号が入力されている。
【００４４】
同様に、デジタルキャプチャデバイス４０には、アナログ許可状態信号（ＧＮＴ  Ａ）およびアナログ放送受信要求信号（ＲＥＱ  Ａ）がモニタできるようにこれらの信号が入力されている。
【００４５】
アナログキャプチャデバイス３０とデジタルキャプチャデバイス４０は、それぞれ独立した専用のソフトウェア（以下、前者に対する専用ソフトウェアをアナログドライバといい、後者に対する専用ソフトウェアをデジタルドライバという）の制御下で動作している。
【００４６】
一方、図３に示したように、アナログキャプチャデバイス３０とデジタルキャプチャデバイス４０とは、チューナ部２０に対するＩ２Ｃバスの制御ポートを夫々独立に有している。このため、チューナ部２０に対するアナログＴＶ放送とデジタルＴＶ放送の制御信号は排他的に出力されなければならない。即ち、チューナ部２０に対してアナログＴＶ放送への切換指令信号とデジタルＴＶ放送への切換指令信号が同時に出力されることを避ける必要がある。このためには、アナログキャプチャデバイス３０を制御するアナログドライバと、デジタルキャプチャデバイス４０を制御するデジタルドライバとの間で互いに相手の状態を知っておく必要がある。
【００４７】
ところが、現在多くの情報処理装置１のＯＳとして普及しているWindows（登録商標）では、ドライバ間の情報交換のための通信は応答が非常に遅く、このためドライバを用いた切換制御では動作が不安定になる可能性がある。例えば、本来排他的であるべきアナログキャプチャデバイスとデジタルキャプチャデバイスの機能（一方がオンのとき、他方は必ずオフとなっているべき機能）が、一時的に両者が共にオンとなる状況が発生しかねない。
【００４８】
そこで、本実施形態では、アナログキャプチャデバイス３０とデジタルキャプチャデバイス４０との間に調停部６０を設け、この調停部６０に排他的な調停機能を設けることで上記の問題を解決している。
【００４９】
以下、この排他的な調停機能と、この調停機能に基づくチューナ受信方法について説明する。
【００５０】
（３）チューナ受信方法
図４は、調停機能に関するアナログドライバの処理の流れを示すフローチャートである。
【００５１】
アナログＴＶ放送用アプリケーションソフトウェアからアナログ放送の受信要求を受ける（ステップＳＴ１０）と、アナログドライバは、アナログ許可状態信号（ＧＮＴ  Ａ）とデジタル許可状態信号（ＧＮＴ  Ｄ）とを確認する（ステップＳＴ１１）。なお、これらの信号は何れも調停部６０が設定するものである。
【００５２】
アナログ非許可でかつデジタル非許可の場合は、ステップＳＴ１４に進み、アナログ放送が受信できない旨をアナログＴＶ放送用アプリケーションソフトウェアに通知し、ステップＳＴ１０に戻る。
【００５３】
ここで、アナログ許可状態信号（ＧＮＴ  Ａ）がアナログ放送の受信を許可状態に設定されている場合を「アナログ許可」といい、この逆を「アナログ非許可」という。同様に、デジタル許可状態信号（ＧＮＴ  Ｄ）がデジタル放送の受信を許可状態に設定されている場合を、「デジタル許可」といい、この逆を「デジタル非許可」という。
【００５４】
アナログ非許可でかつデジタル非許可以外の場合は、アナログ放送受信要求信号（ＲＥＱ  Ａ）を調停部６０に対して出力する（ステップＳＴ１２）。
【００５５】
次に、再度アナログ許可状態信号（ＧＮＴ  Ａ）とデジタル許可状態信号（ＧＮＴ  Ｄ）とをモニタし、アナログ許可、かつ、デジタル非許可の状態になったか否かを確認する（ステップＳＴ１３）。
【００５６】
確認の結果、アナログ許可でかつデジタル非許可の場合には、ステップＳＴ１５へ進み、チューナ部２０に対して、アナログ放送を受信するように指令を出す。この結果、チューナ部２０からはアナログ放送信号が出力される。
【００５７】
ステップＳＴ１６では、アナログＴＶ放送用アプリケーションソフトウェアからの受信要求を継続的に監視する。受信要求が解除されない限り、チューナ部２０に対するアナログ放送用の設定を継続する。
【００５８】
一方、アナログＴＶ放送用アプリケーションソフトウェアからの受信要求が解除された場合には、調停部６０に対するアナログ放送受信要求信号（ＲＥＱ  Ａ）を解除し（ステップＳＴ１７）、ステップＳＴ１０へ戻る。
【００５９】
以上がアナログドライバの処理の流れである。この処理は、デジタルドライバからの情報を用いることなく、調停部６０で設定される許可状態と自己が設定するアナログ放送受信要求信号とに基づいてチューナ部２０への指令信号を出力するように構成されている。
【００６０】
図５は、デジタルドライバの処理の流れを示すフローチャートである。図５と図４とを比べるとわかるように、処理の流れは全く同一であり、図４の「アナログ」を「デジタル」に換えると両者は一致する。重複をさけるため、説明は省略する。
【００６１】
デジタルドライバの処理も、アナログドライバからの情報を用いることなく、調停部６０で設定される許可状態と自己が設定するデジタル放送受信要求信号とに基づいてチューナ部２０への指令信号を出力するように構成されている。
【００６２】
上述したアナログドライバとデジタルドライバとの処理において、チューナ部２０に対する切換制御が排他的に行われるためには、調停部６０で設定する許可状態が排他的に設定される必要がある。
【００６３】
次に、調停部６０の構成および動作について説明する。調停部６０の形態は、マイクロプロセッサ等を用いたソフトウェアによって実現する形態でもよいし、ハードウェアで実現する形態でもよい。
【００６４】
図６は、調停部６０の形態をソフトウェアで実現するときの、調停部６０の機能を表す状態遷移図である。
【００６５】
前述したように、調停部６０は、アナログキャプチャデバイス３０から出力されるアナログ放送受信要求信号（ＲＥＱ  Ａ）、およびデジタルキャプチャデバイス４０から出力されるデジタル放送受信要求信号（ＲＥＱ  Ｄ）に基づいて、「アナログ許可」、「アナログ非許可」（「アナログ許可」の否定）、「デジタル許可」、および「デジタル非許可」（「デジタル許可」の否定）の４つの状態を設定する。
【００６６】
図６において、状態Ｓ１は、アナログ許可かつデジタル許可の状態を示している。この状態は、チューナ部２０が未使用の状態であり、アナログＴＶ放送とデジタルＴＶ放送のいずれでも視聴可能な状態に対応している。
【００６７】
状態Ｓ１において、アナログキャプチャデバイス３０からアナログ放送受信要求信号（ＲＥＱ  Ａ）が出力されると状態Ｓ２に移行する。即ち、調停部６０は、アナログ許可かつデジタル非許可の状態に設定する。
【００６８】
状態Ｓ２は、チューナ部２０がアナログＴＶ放送を受信する状態に対応している。アナログ放送受信要求信号（ＲＥＱ  Ａ）が継続している場合は状態Ｓ２を維持する。一方、アナログ放送受信要求信号（ＲＥＱ  Ａ）が解除されると、状態Ｓ１に戻る。
【００６９】
状態Ｓ１において、デジタルキャプチャデバイス４０からデジタル放送受信要求信号（ＲＥＱ  Ｄ）が出力されると状態Ｓ３に移行する。即ち、調停部６０は、アナログ非許可かつデジタル許可の状態に設定する。
【００７０】
状態Ｓ３は、チューナ部２０がデジタルＴＶ放送を受信する状態に対応している。デジタル放送受信要求信号（ＲＥＱ  Ｄ）が継続している場合は状態Ｓ３を維持する。一方、デジタル放送受信要求信号（ＲＥＱ  Ｄ）が解除されると、状態Ｓ１に戻る。
【００７１】
なお、状態Ｓ１において、アナログ放送受信要求信号（ＲＥＱ  Ａ）とデジタル放送受信要求信号（ＲＥＱ  Ｄ）の双方が出力されない場合は、状態Ｓ１を維持する。
【００７２】
状態Ｓ４は、アナログ非許可かつデジタル非許可の状態である。状態Ｓ４は、電源投入時等の不定状態時に発生しうる。チューナ部２０の未使用という物理的な意味は状態Ｓ１と重複するため、状態Ｓ４が発生した場合は、強制的に状態Ｓ１へ移行させるものとしている。
【００７３】
上記のような状態遷移をソフトウェアで実現することにより、アナログ許可（又はアナログ非許可）、デジタル許可（又はデジタル非許可）設定を排他的に実現することができる。
【００７４】
図７は、調停部６０をハードウェアの形態で実現するときの構成例である。この場合、図７（ａ）に示したように、調停部６０は僅か２つのＮＡＮＤゲート（論理ゲート）で構成され、いわゆるＤフリップフロップを形成している。
【００７５】
出力は負論理で出力されているが、これは図３に示したバススイッチ３１、４１の制御入力が負論理となっていることに対応している。また負論理とすることで、図７（ａ）のようにハードウェアを簡素化できる。
【００７６】
図７（ｂ）は、図７（ａ）の回路の真理値表を示す図である。アナログ放送受信要求信号（ＲＥＱ  Ａ）とデジタル放送受信要求信号（ＲＥＱ  Ｄ）の双方が出力されないときは、アナログ非許可かつデジタル非許可に設定される。
【００７７】
アナログ放送受信要求信号（ＲＥＱ  Ａ）とデジタル放送受信要求信号（ＲＥＱ  Ｄ）が出力されたときは、先に出力された方に対して許可が与えられる。
【００７８】
物理的には考えにくいが、アナログ放送受信要求信号（ＲＥＱ  Ａ）とデジタル放送受信要求信号（ＲＥＱ  Ｄ）とが全く同時に出力された場合には、アナログ許可状態信号（ＧＮＴ  Ａ）は前の状態を保持し、デジタル許可状態信号（ＧＮＴ  Ｄ）はその反転（否定）となる。
【００７９】
このように、調停部６０をハードウェアで構成したときも、アナログ許可（又はアナログ非許可）、デジタル許可（又はデジタル非許可）設定を排他的に実現することができる。
【００８０】
上述したように、本実施形態に係るチューナユニット、チューナを内蔵する情報処理装置、及びチューナ受信方法によれば、アナログ放送とデジタル放送との排他的な切換制御を確実にかつ簡潔に行うことができ、その結果、チューナユニット、チューナを内蔵する情報処理装置の小型・軽量化を実現することができる。
【００８１】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００８２】
【図１】本発明の一実施形態に係る情報処理装置の外観例を示す斜視図。
【図２】本発明の一実施形態に係る情報処理装置のシステム構成例を示す図。
【図３】本発明の一実施形態に係るチューナユニットの構成例を示す図。
【図４】アナログドライバの処理例を示すフローチャート。
【図５】デジタルドライバの処理例を示すフローチャート。
【図６】調停部をソフトウェアで構成した場合の動作例を示す状態遷移図。
【図７】調停部をハードウェアで構成した場合の構成例を示す図。
【符号の説明】
【００８３】
１  情報処理装置
１０  チューナユニット
２０  チューナ部
２１  ＲＦフロントエンド
２２  アナログ復調器
２３  デジタル復調器
３０  アナログキャプチャデバイス（アナログ制御部）
４０  デジタルキャプチャデバイス（デジタル制御部）
６０  調停部
【図１】
2007174572.tif 000003
【図２】
2007174572.tif 000004
【図３】
2007174572.tif 000005
【図４】
2007174572.tif 000006
【図５】
2007174572.tif 000007
【図６】
2007174572.tif 000008
【図７】
2007174572.tif 000009